(57)【要約】【課題】  カートリッジをどの装着部に装着可能かどうかをユーザが識別する際の識別のし易さを改善する。【解決手段】  感光ドラム１を備え、感光ドラム１の回転軸線方向を長手方向とする長尺形状であり、長手方向沿った挿入方向Ｆで画像形成装置１００の装着部７０の開口部１０１に挿入されるカートリッジであって、感光ドラム１を回転可能に支持する枠体（クリーニング枠体２７、前側端面部材１０、奥側端面部材１１）と、挿入方向Ｆに関して枠体の下流側の端部に配置され、挿入方向Ｆに直交する方向と交差する表示面１１１と、を有し、表示面１１１に、装着部７０に対応する識別情報が表示されている。【選択図】  図８
2017194533.tif 000002
【特許請求の範囲】
【請求項１】
回転部材を備え、前記回転部材の回転軸線方向を長手方向とする長尺形状であり、前記長手方向沿った挿入方向で画像形成装置の装着部の開口に挿入されるカートリッジであって、
前記回転部材を回転可能に支持する枠体と、
前記挿入方向に関して前記枠体の下流側の端部に配置され、前記挿入方向に直交する方向と交差する表示面と、
を有し、
前記表示面に、前記装着部に対応する識別情報が表示されていることを特徴とするカートリッジ。
【請求項２】
前記表示面は、前記枠体の上面に配置されていることを特徴とする請求項１に記載のカートリッジ。
【請求項３】
前記枠体は第１枠体部と、前記挿入方向に関して前記第１枠体部の下流側の端部に取り付けられた第２枠体部とを含み、前記表示面は前記第２枠体部に設けられていることを特徴とする請求項１又は２に記載のカートリッジ。
【請求項４】
前記表示面は前記第１枠体部の色と異なる色であることを特徴とする請求項３に記載のカートリッジ。
【請求項５】
前記装着部に対応する識別情報が表示された別の表示面を有し、前記別の表示面は、前記枠体の挿入方向に関して上流側の端部に配置されていることを特徴とする請求項１乃至４のいずれか一項に記載のカートリッジ。
【請求項６】
前記回転部材は感光体であることを特徴とする請求項１乃至５のいずれか一項に記載のカートリッジ。
【請求項７】
記録媒体に画像を形成する画像形成装置であって、
第１の感光体を備える第１のカートリッジを装着するための第１の装着部と、
第２の感光体を備える前記第１のカートリッジとは異なる第２のカートリッジをそれぞれ装着するための複数の第２の装着部と、
前記第１の装着部に対応して設けられた第１の表示部と、
前記複数の第２の装着部に対応して設けられた第２の表示部と、
を有することを特徴とする画像形成装置。
【請求項８】
前記第２の表示部は前記複数の第２の装着部のそれぞれに対応する複数の位置に分かれて配置されていることを特徴とする請求項７に記載の画像形成装置。
【請求項９】
前記第１の感光体には黒色の現像剤像が形成されることを特徴とする請求項７又は８に記載の画像形成装置。
【請求項１０】
前記第１の装着部には黒色の現像剤を収容した第１現像カートリッジを装着可能であることを特徴とする請求項９に記載の画像形成装置。
【請求項１１】
前記複数の第２の装着部には、異なる色の現像剤を収容した複数の現像カートリッジをそれぞれ装着可能であることを特徴とする請求項７乃至１０のいずれか一項に記載の画像形成装置。
【発明の詳細な説明】
【技術分野】
【０００１】
本発明は、電子写真方式の画像形成装置、及び画像形成装置と共に使用されるカートリッジに関するものである。
【０００２】
ここで電子写真方式の画像形成装置とは、電子写真画像形成プロセスを用いて記録材（記録媒体）に画像を形成するものである。電子写真方式の画像形成装置の例としてはプリンタ（レーザビームプリンタ、ＬＥＤプリンタ等）、複写機、ファクシミリ装置、ワードプロセッサ、およびこれらの複合機（マルチファンクションプリンタ）などである。
【背景技術】
【０００３】
従来、電子写真画像形成プロセスを用いた電子写真画像形成装置では、消耗品を容易に交換可能とするため、カートリッジを画像形成装置の装置本体に着脱可能とし、カートリッジを交換することで消耗品を交換可能としたカートリッジ方式が採用されている。
【０００４】
ここで、例えばカラー電子写真画像形成装置は、異なる色の現像剤を内包する複数のカートリッジが着脱可能に構成されている。適切な画像を得るためには各カートリッジを画像形成装置側のそれぞれ対応する所定の装着部に装着する必要があり、装着時にユーザが誤った場所へ誤装着してしまうことを防止する必要がある。
【０００５】
例えば特許文献１では、内包する現像剤の色と同系色の色で着色された樹脂材の識別部材をカートリッジに設けている。これにより、ラベル等を用いずに内包する現像剤の色を示すことができ、ユーザは識別部材の色をもとに各カートリッジを画像形成装置側の所定の装着部へ装着することができる。
【先行技術文献】
【特許文献】
【０００６】
【特許文献１】特開２０１３−１７４６５２
【発明の概要】
【発明が解決しようとする課題】
【０００７】
しかしながら、特許文献１の構成では、カートリッジをどの装着部に装着可能かどうかをユーザが識別する際の識別のし易さに改善の余地があった。例えば、カートリッジを装着部への挿入を開始する直前における識別のし易さに改善の余地があった。また、３つ以上の装着部を有する画像形成装置で、３つ以上の装着部の複数の装着部に第１仕様のカートリッジを装着し、残りの装着部に第１仕様と異なる第２仕様のカートリッジを装着する構成の場合の識別のし易さに改善の余地があった。
【０００８】
そこで、本発明は、カートリッジをどの装着部に装着可能かどうかをユーザが識別する際の識別のし易さを改善することを目的とする。
【課題を解決するための手段】
【０００９】
本発明は、回転部材を備え、前記回転部材の回転軸線方向を長手方向とする長尺形状であり、前記長手方向沿った挿入方向で画像形成装置の装着部の開口に挿入されるカートリッジであって、前記回転部材を回転可能に支持する枠体と、前記挿入方向に関して前記枠体の下流側の端部に配置され、前記挿入方向に直交する方向と交差する表示面と、を有し、前記表示面に、前記装着部に対応する識別情報が表示されていることを特徴とする。
【発明の効果】
【００１０】
以上説明したように、本発明によれば、カートリッジをどの装着部に装着可能かどうかをユーザが識別する際の識別のし易さを改善することができる。
【図面の簡単な説明】
【００１１】
【図１】画像形成装置の構成説明図。
【図２】画像形成装置の主断面図。
【図３】ドラムカートリッジの斜視図。
【図４】ドラムカートリッジの主断面図。
【図５】現像カートリッジの主断面。
【図６】現像カートリッジの斜視図。
【図７】ドラムカートリッジ及び現像カートリッジを画像形成装置に装着する途中を示す斜視図。
【図８】ドラムカートリッジを画像形成装置に装着する途中を示す斜視図。
【図９】ドラムカートリッジの斜視図。
【発明を実施するための形態】
【００１２】
＜第１実施形態＞
［画像形成装置の全体的な概略構成］
（画像形成装置の全体構成）
まず電子写真画像形成装置１００の全体構成について、図２を用いて説明する。図２に示すように、４つの装着部７０Ｙ，７０Ｍ，７０Ｃ，７０Ｋにはそれぞれ４つのドラムカートリッジ９Ｙ，９Ｍ，９Ｃ，９Ｋと４つの現像カートリッジ４（４Ｙ，４Ｍ，４Ｃ，４Ｋ）が装着部材（不図示）によって装着されている。また、ドラムカートリッジ９及び現像カートリッジ４の画像形成装置１００への装着方向上流側を前側、装着方向下流側を奥側と定義する。ドラムカートリッジ９及び現像カートリッジ４の画像形成装置１００への装着方向とは、画像形成装置１００の開口部１０１への挿入方向Ｆと一致する。図２において、ドラムカートリッジ９及び現像カートリッジ４は、装置本体１００内に水平方向に対して傾斜して併設されている。なお、装着部７０Ｋは第１の装着部であり、装着部７０Ｙ，７０Ｍ，７０Ｃは第２の装着部である。またドラムカートリッジ９Ｋは第１のカートリッジであり、ドラムカートリッジ９Ｙ，９Ｍ，９Ｃは第２のカートリッジである。
【００１３】
各ドラムカートリッジ９には、感光ドラム１（１ａ，１ｂ，１ｃ，１ｄ）と、感光ドラム１の周囲に帯電ローラ２（２ａ，２ｂ，２ｃ，２ｄ）と、クリーニング部材６（６ａ，６ｂ，６ｃ，６ｄ）等のプロセス手段が一体的に配置されている。ドラムカートリッジ９は回転部材としての感光ドラム１（１ａ，１ｂ，１ｃ，１ｄ）の回転軸線方向を長手方向とする長尺形状である。ドラムカートリッジ９の開口部１０１への挿入方向Ｆはドラムカートリッジ９の長手方向と一致する。
【００１４】
また、各現像カートリッジ４（４Ｙ，４Ｍ，４Ｃ，４Ｋ）には現像ローラ２５（２５ａ，２５ｂ，２５ｃ，２５ｄ）と現像ブレード３５（３５ａ，３５ｂ，３５ｃ，３５ｄ）等のプロセス手段が一体的に配置されている。現像カートリッジ４は現像ローラ２５（２５ａ，２５ｂ，２５ｃ，２５ｄ）の回転軸線方向を長手方向とする長尺形状である。現像カートリッジ４の開口部１０１への挿入方向Ｆは現像カートリッジ４の長手方向と一致する。
【００１５】
帯電ローラ２は、感光ドラム１の表面を一様に帯電させるものであり、現像ローラ２５は、感光ドラム１に形成した潜像をトナーによって現像してトナー像として可視像化するものである。そして、クリーニング部材６は、感光ドラム１に形成したトナー像（現像剤像）を記録媒体に転写した後に、感光ドラム１に残留したトナーを除去するものである。
【００１６】
また、ドラムカートリッジ９及び現像カートリッジ４の下方には画像情報に基づいて感光ドラム１に選択的な露光を行い、感光ドラム１に潜像を形成するためのスキャナユニット３が設けられている。
【００１７】
装置本体１００の下部には記録媒体Ｓを収納したカセット１７が装着されている。そして、記録媒体Ｓが２次転写ローラ６９、定着部７４を通過して装置本体１００の上方へ搬送されるように記録媒体搬送手段が設けられている。すなわち、カセット１７内の記録媒体Ｓを１枚ずつ分離給送する給送ローラ５４、給送された記録媒体Ｓを搬送する搬送ローラ対７６、感光ドラム１に形成される潜像と記録媒体Ｓとの同期を取るためのレジストローラ対５５が設けられている。また、ドラムカートリッジ９及び現像カートリッジ４の上方には各感光ドラム１（１ａ、１ｂ、１ｃ、１ｄ）上に形成したトナー画像を転写させるための中間転写手段としての中間転写ユニット５が設けられている。中間転写ユニット５には駆動ローラ５６、従動ローラ５７、各色の感光ドラム１に対向する位置に１次転写ローラ５８（５８ａ、５８ｂ、５８ｃ、５８ｄ）、２次転写ローラ６９に対向する位置に対向ローラ５９を有し、転写ベルト１４が掛け渡されている。そして、転写ベルト１４はすべての感光ドラム１に対向し、且つ接するように循環移動し、１次転写ローラ５８（５８ａ、５８ｂ、５８ｃ、５８ｄ）に電圧を印加することにより、感光ドラム１から転写ベルト１４上に一次転写を行う。そして、転写ベルト１４内に配置された対向ローラ５９と２次転写ローラ６９への電圧印加により、転写ベルト１４のトナーを記録媒体Ｓに転写する。
【００１８】
画像形成に際しては、各感光ドラム１を回転させ、帯電ローラ２によって一様に帯電させた感光ドラム１にスキャナユニット３から選択的な露光を行う。これによって、感光ドラム１に静電潜像を形成する。その潜像を現像ローラ２５によって現像する。これによって、各感光ドラム１に各色トナー像を形成する。この画像形成と同期して、レジストローラ対５５が、記録媒体Ｓを対向ローラ５９と２次転写ローラ６９とが転写ベルト９を介在させて当接している２次転写位置に搬送する。そして、２次転写ローラ６９へ転写バイアス電圧を印加することで、転写ベルト上の各色トナー像を記録媒体Ｓに２次転写する。これによって、記録媒体Ｓにカラー画像を形成する。カラー画像が形成された記録媒体Ｓは、定着部７４によって加熱、加圧されてトナー像が定着される。その後、記録媒体Ｓは、排出ローラ７２によって排出部７５に排出される。尚、定着部７４は、装置本体１００の上部に配置されている。
【００１９】
［ドラムカートリッジ］
次に本発明を実施したドラムカートリッジ９について、図３、図４を用いて説明する。図３はドラムカートリッジ９（９Ｙ，９Ｍ，９Ｃ，９Ｋ）の構成説明図である。尚、９Ｙ，９Ｍ，９Ｃ，９Ｋは同一構成である。
【００２０】
各ドラムカートリッジ９の枠体は、クリーニング枠体２７（２７Ｙ，２７Ｍ，２７Ｃ，２７Ｋ）、前側端面部材１０（１０Ｙ，１０Ｍ，１０Ｃ，１０Ｋ）、奥側端面部材１１（１１Ｙ，１１Ｍ，１１Ｃ，１１Ｋ）から構成されている。クリーニング枠体２７は第１枠体部、奥側端面部材１１は第２枠体部、前側端面部材１０は第３枠体部である。クリーニング枠体２７の、ドラムカートリッジ９の挿入方向Ｆに関して上流側端部に前側端面部材１０、下流側端部に後側端面部材がそれぞれ取り付けられている。そして、感光ドラム１は前側端面部材１０と奥側端面部材１１とに回転自在に支持されている。
【００２１】
図４はドラムカートリッジの断面図である。感光ドラム１の周囲には、前述した通り帯電ローラ２、クリーニング部材６が設けられている。クリーニング部材６はゴムブレードで形成された弾性部材７とクリーニング支持部材８から構成されている。ゴムブレード７の先端部７ａは感光ドラム１の回転方向に対してカウンター方向に当接させて配設してある。そしてクリーニング部材６によって感光ドラム１表面から除去された残留トナーは除去トナー室２７ａに落下する。また除去トナー室２７ａの除去トナーが漏れることを防止するシート部材２１が感光ドラム１に当接している。そしてドラムカートリッジ９に駆動源である本体駆動モータ（不図示）の駆動力を伝達することにより、感光ドラム１を画像形成動作に応じて回転駆動させる。帯電ローラ２は、帯電ローラ軸受２８を介し、ドラムカートリッジ９に回転可能に取り付けられており、帯電ローラ加圧部材３３により感光ドラム１に向かって加圧され、感光ドラム１に従動回転する。
【００２２】
［現像装置］
次に現像カートリッジ４について、図５〜図６を用いて説明する。図５は現像カートリッジ４（４Ｙ，４Ｍ，４Ｃ，４Ｋ）の主断面である。尚、イエロー色のトナーを収納した現像カートリッジ４Ｙ、マゼンタ色のトナーを収納した現像カートリッジ４Ｍ、シアン色のトナーを収納した現像カートリッジ４Ｃ、ブラック色のトナーを収納した現像カートリッジ４Ｋは同一構成である。また、図６は現像装置の分解構成図である。
【００２３】
現像カートリッジ４は、感光ドラム１と接触して矢印Ｂ方向に回転する現像ローラ２５と、トナー供給ローラ３４と現像ブレード３５と、トナー搬送部材３６及びこれらを支持する現像枠体３１で構成されている。トナー供給ローラ３４は現像ローラ２５に接触して回転し、現像ブレード３５は現像ローラ２５上のトナー層を規制する。
【００２４】
現像枠体３１は現像ローラ２５が配置されている現像室３１ｃと、現像室３１ｃの下方に設けられたトナー収容室３１ａとで構成されており、それぞれの室は隔壁３１ｄによって仕切られている。また、隔壁３１ｄにはトナー収容室３１ａから現像室３１ｃへトナーを搬送する際にトナーが通過する開口３１ｂが設けられている。
現像ローラ２５とトナー供給ローラ３４は現像ローラ軸線方向両側に設けられ、枠体としての現像前軸受１２、現像奥軸受１３を介して、回転自在に現像枠体３１に支持されている。現像枠体３１のトナー収納室３１ａには、収納されたトナーを撹拌すると共に、前記開口部３１ｂを介して現像室３１ｃへトナーを搬送するためのトナー搬送部材３６が設けられている。
【００２５】
現像ローラ２５の前側端部にはトナー供給ギヤと噛み合う現像ギヤ２９が設けられている。そのため、駆動源である本体駆動モータ（不図示）の駆動力を現像カップリング２３に伝達することにより、トナー供給ローラ３４及び現像ローラ２５を画像形成動作に応じて回転駆動させる。また、現像ギヤ２９及びトナー供給ギヤ３０の外側には、現像枠体３１の一部としてのギヤカバー２０が設けられている。
【００２６】
［ドラムカートリッジ及び現像カートリッジの装着］
次に図７を用いて、ドラムカートリッジ９及び現像カートリッジ４を電子写真画像形成装置１００に挿入し装着する構成について説明する。なお、本実施形態では、ドラムカートリッジ９（９Ｙ，９Ｍ，９Ｃ，９Ｋ）及び現像カートリッジ４（４Ｙ，４Ｍ，４Ｃ，４Ｋ）を、それぞれ開口部１０１（１０１ａ，１０１ｂ，１０１ｃ，１０１ｄ）へ挿入することで、各装着部７０に各ドラムカートリッジ９と各現像カートリッジ４を装着する。各ドラムカートリッジ９は、各感光ドラム１の軸線方向と平行な挿入方向Ｆで、前側から奥側に向かって各開口部１０１へ現像カートリッジ４挿入する構成となっている。各現像カートリッジ４は、各現像ローラ２５の軸線方向と平行な方向（図中矢印Ｆの方向）で、前側から奥側に向かって各開口部１０１へ挿入する構成となっている。なお、各ドラムカートリッジ９、各現像カートリッジ４が各開口部１０１に装着された状態で、各感光ドラム１の軸線方向と各現像ローラ２５の軸線方向とは平行である。電子写真画像形成装置１００内の上側には、第１の本体ガイド部である本体装着上ガイド部１０３（１０３ａ，１０３ｂ，１０３ｃ，１０３ｄ）と下側には第２の本体ガイド部である本体装着下ガイド部１０２（１０２ａ，１０２ｂ，１０２ｃ，１０２ｄ）が設けられている。この本体装着上ガイド部１０３と本体装着下ガイド部１０２は、それぞれドラムカートリッジ９の挿入方向Ｆに沿って伸びたガイド形状となっている。この本体装着下ガイド部１０２の装着方向前側にドラムカートリッジ９を載せて、挿入方向Ｆの向きにドラムカートリッジ９を本体装着上ガイド部１０３と本体装着下ガイド部１０２とに沿って移動させる。これによって、電子写真画像形成装置１００への挿入を行う。
【００２７】
現像カートリッジ４を挿入する場合もドラムカートリッジ９と同様である。つまり、画像形成装置本体の上側に設けられている本体装着上ガイド１０５と画像形成装置本体の下側に設けられている本体装着下ガイド１０４の装着方向前側に現像カートリッジ４を載せる。そして、挿入方向Ｆの向きに現像カートリッジ４を本体装着上ガイド部１０５と本体装着下ガイド部１０４とに沿って移動させることによって、電子写真画像形成装置１００への挿入を行う。
【００２８】
先に述べたように、本実施例の画像形成装置は４個のドラムカートリッジ９（９Ｙ，９Ｍ，９Ｃ，９Ｋ）と４個の現像カートリッジ４（４Ｙ，４Ｍ，４Ｃ，４Ｋ）が着脱可能に構成されている。ここで、例えば単独で使用される頻度の多い黒色の現像剤を内包する現像カートリッジ４Ｋは、他の色を内包する現像カートリッジ４（４Ｙ，４Ｍ，４Ｃ）より容量を多くし製品寿命を長くするなど個別の仕様を設定する場合がある。これに対し、製品寿命を通じて安定した画質を提供するためには、現像カートリッジ４Ｋ用のドラムカートリッジ９Ｋと現像カートリッジ４（４Ｙ，４Ｍ，４Ｃ）用のドラムカートリッジ９（９Ｙ，９Ｍ，９Ｃ）も異なる仕様にし、それぞれの現像カートリッジ４に対して最適化を図る。つまり、現像カートリッジ４（４Ｙ，４Ｍ，４Ｃ，４Ｋ）はそれぞれ内包する現像剤の色が異なり、ドラムカートリッジ９にも仕様違いが存在する。本実施形態では、ドラムカートリッジ９Ｋの方が、ドラムカートリッジ９Ｙ，９Ｍ，９Ｃよりも想定寿命が長い構成となっており、より高耐久の部品が用いられている。具体的には、感光ドラム１ｄの方が感光ドラム１ａ、１ｂ、１ｃよりも感光層の厚さ（膜厚）が厚い。
【００２９】
このため、ユーザが誤った場所へ装着してしまうことが懸念される。誤装着した場合は現像装置とドラムカートリッジ９のマッチングがとれず製品寿命を通じて安定した画質を提供することが困難になることがある。また、誤った装着場所へ無理やり装着を行うことにより、ドラムカートリッジ９や装着部７０の破損などが懸念される。従って、仕様の異なるドラムカートリッジ９をユーザが容易に区別できるようにする必要がある。
【００３０】
そこで、図１に示すように、ドラムカートリッジ９Ｋの端面に位置する前側端面部材１０Ｋの表面の色を他のドラムカートリッジ９（９Ｙ，９Ｍ，９Ｃ）の端面に位置する前側端面部材１０（１０Ｙ，１０Ｍ，１０Ｃ）の表面の色と異なる色にする。これによりユーザは形状からはほとんど違いがわからないドラムカートリッジ９Ｋと他のドラムカートリッジ９（９Ｙ，９Ｍ，９Ｃ）が別のものであると容易に認識することができる。さらに各開口部１０１の上方近傍に各表示部１０６設け、この表示部１０６の色とそこに装着されるドラムカートリッジ９の前側端面部材１０の表面の色とを同じ又は同系色の色にする。なお、装着部７０Ｙ、７０Ｍ、７０Ｃに対応する表示部１０６Ｙ、１０６Ｍ、１０６Ｃを第１の表示部とし、装着部７０Ｋに対応する表示部１０６Ｋを第２の表示部とする。
【００３１】
このように、前側端面部材１０Ｋの表面の色を前側端面部材１０Ｙ，１０Ｍ，１０Ｃの表面の色と異ならせることで、前側端面部材１０の表面に装着すべき装着部７０に対応する識別情報を表示させる表示面（別の表示面）としての機能を持たせている。本実施形態では、所定の形状の領域が所定の色で塗られた部分を識別情報として用いているが、識別情報としては、これに限られず、更に文字や記号を併用するものや、文字や記号のみでもよい。当然ながら、これら識別情報が識別情報として機能させるため、ドラムカートリッジ９側の識別情報と本体側の装着部７０に対応する表示部１０６の識別情報とが対応するようにしている。
【００３２】
また、前側端面部材１０の表面の色と表示部１０６との対応により、ドラムカートリッジ９の装着後も誤装着か否かを識別可能である。また、ドラムカートリッジ９に、ユーザが着脱時に把持する把持部１０ａが設けられていると、ユーザがドラムカートリッジ９を着脱する時に前側端面部材１０の色を認識する機会が増す。これにより、ドラムカートリッジ９に仕様違いがあることをより確実に認識させることができ、誤装着防止につながる。また、更なる識別情報として、前側端面部材１０（１０Ｙ，１０Ｍ，１０Ｃ，１０Ｋ）にレーザーマーカーや型彫り等で仕様毎に異なる文字及び記号を刻印することで、ユーザへ仕様が異なるものであることをより明確に認識させることができる。
【００３３】
また、図８に示すように、ドラムカートリッジ９において装着方向下流側に位置する奥側端面部材１１の表面の色も前側端面部材１０の表面の色と同じ又は同系色の色にする。なお、奥側端面部材１１と前側端面部材１０の表面の色はクリーニング枠体２７の表面の色とは異なる。このため、奥側端面部材１１の挿入方向Ｆに直交する方向と交差する面（表示面）１１１は、少なくとも対応する表示部１０６の色と同系色の色となる。つまり、奥側端面部材１１の表示面１１１を含む表面自体が装着部７０に対応する識別情報を表示していることになる。これにより、ユーザはドラムカートリッジ９Ｃの装着始めにおいては奥側端面部材１１Ｃの表示面１１１と本体側の表示部１０６Ｃの色を確認でき、もし誤った場所へカートリッジを装着使用としていた場合にも気付くことができる。特に、ドラムカートリッジ９の装着始めの際は、ドラムカートリッジ９の枠体の上面に識別情報を表示する表示面１１１があるので、この部分と本体側の表示部１０６とが並ぶように配置される。この時、ユーザは表示面１１１と表示部１０６とを同時に視認でき、識別性が高い。
【００３４】
本実施形態によれば、カートリッジをどの装着部に装着可能かどうかをユーザが識別する際の識別のし易さを改善でき、カートリッジの誤装着を装着動作の早い段階で防ぐことができる。また、現像カートリッジ４の現像奥軸受１３の挿入方向Ｆに直交する方向と交差する面１３１を、少なくとも対応する表示部１０６の色と同系色の色となるように構成してもよい。これにより、ユーザは現像カートリッジ４の装着始めにおいてはギヤカバー２０の面２０１と本体側の表示部１０６の色を確認でき、もし誤った場所へカートリッジを装着しようとしていた場合にも気付くことができる。
【００３５】
＜第２実施形態＞
図９に示すように、前側端面部材１０より外側に板金等の導電部材１６ａやギア等の駆動伝達部材１６ｂ等が露出している場合は、当該部の少なくとも一部を覆うカバー部材１０ｂを別途設ける。そして、このカバー部材１０ｂの表面を前側端面部材１０及び奥側端面部材１１と同系色の色にして識別情報を表示させる。カバー部材１０ｂを前側端面部材１０に組付けることで前記導電部材１６ａや駆動伝達部材１６ｂ等を覆い隠すことができる。これにより、第１実施形態と同様にカバー部材１０ｂの表面に識別情報を表示させることで、ユーザの誤装着を防止することができる。また、このカバー部材１０ｂにもレーザーマーカーや型彫り等で文字及び記号を刻印してもよく、第１実施形態と同様にユーザへ仕様が異なるものであることをより明確に認識させることができる。
【符号の説明】
【００３６】
１  感光ドラム
４  現像カートリッジ
１０  前側端面部材
１１  奥側端面部材
７０  装着部
１００  画像形成装置
１０１  開口部
１０６  表示部
１１１  表示面
Ｆ  装着方向
【図１】
2017194533.tif 000003
【図２】
2017194533.tif 000004
【図３】
2017194533.tif 000005
【図４】
2017194533.tif 000006
【図５】
2017194533.tif 000007
【図６】
2017194533.tif 000008
【図７】
2017194533.tif 000009
【図８】
2017194533.tif 000010
【図９】
2017194533.tif 000011